(57)【要約】  【課題】  操作手段の紛失を防止し、かつ、正確な遠隔操作を行うことができる自動演奏装置を提供する。  【解決手段】  選択された楽曲を演奏する自動演奏装置であって、遠隔操作で選択された楽曲を示す情報を入力する操作部６８と、選択された楽曲を示す情報に対応する楽曲を再生するＤＶＤ装置３と、ＤＶＤ装置３からの再生信号を音声出力するＡＶアンプ４およびスピーカ５と、を備え、自動演奏装置１筐体の正面パネル６の一部に、操作部６８を固着させ、操作部６８と、操作部６８からの楽曲を示す情報を受信する受光部６９とに間隙を設けるよう受光部６９を自動演奏装置１筐体の前面から離隔させた位置に配設する。【選択図】  図１
2005166091.tif 000002
【特許請求の範囲】
【請求項１】
選択された楽曲を演奏する自動演奏装置であって、遠隔操作で選択された楽曲を示す情報を入力する選択入力手段と、選択された楽曲を示す情報に対応する楽曲を再生する楽曲再生手段と、前記楽曲再生手段からの再生信号を音声出力する音声出力手段と、を備え、
前記自動演奏装置筐体の正面パネルの一部に、前記選択入力手段を固着させ、前記選択入力手段と、前記選択入力手段からの楽曲を示す情報を受信する受信部とに間隙を設けるよう前記受信部を前記筐体の前面から離隔させた位置に配設することを特徴とする自動演奏装置。
【請求項２】
前記筐体内に構造物を載置することができる棚板を設けることを特徴とする請求項１記載の自動演奏装置。
【発明の詳細な説明】
【技術分野】
【０００１】
本発明は、ＤＶＤプレーヤー、ＡＶアンプ等のＡＶ機器を備えた自動演奏装置の遠隔制御に関するものである。
【背景技術】
【０００２】
従来のカラオケ、ジュークボックス等の自動演奏装置においては、リモコン受信部を設け、リモコン操作で音楽を選択するようにしている（例えば、特許文献１参照）。
【特許文献１】特開２００３−１７３１９２号公報（第５頁右下段の段落００４０）
【発明の開示】
【発明が解決しようとする課題】
【０００３】
しかしながら、従来の自動演奏装置においては、リモコンが別体であるため紛失するおそれがあり、また、自動演奏装置に設けられるキーボードによって自動演奏装置の操作をしようとすると、キーボード部分を設計しなければならず、コストが高くなってしまうという問題があった。
【０００４】
本発明は、従来の問題を解決するためになされたもので、カラオケ、ジュークボックス等の自動演奏装置において、装置筐体の正面パネルにリモコンを固着させて該自動演奏装置の遠隔制御を行うとともに、リモコンからの楽曲を示す情報を受信する受信部とに間隙を設けるよう受信部有するＡＶ機器を前記筐体の前面から離隔させた位置に配設することでリモコンの紛失を防止し、コストの高騰化を解消し、また、正確な遠隔操作を可能とすることのできる自動演奏装置を提供することを目的とする。
【課題を解決するための手段】
【０００５】
上記課題を解決するために、本発明の自動演奏装置は、選択された楽曲を演奏する自動演奏装置であって、遠隔操作で選択された楽曲を示す情報を入力する選択入力手段（例えば操作部６８）と、選択された楽曲を示す情報に対応する楽曲を再生する楽曲再生手段（例えばＤＶＤ装置３）と、前記楽曲再生手段からの再生信号を音声出力する音声出力手段（例えばＡＶアンプ４、スピーカ５）と、を備え、前記自動演奏装置筐体の正面パネル（例えば正面パネル６）の一部に、前記選択入力手段を固着させ、前記選択入力手段と、前記選択入力手段からの楽曲を示す情報を受信する受信部（例えば受光部６９）とに間隙を設けるよう前記受信部を前記筐体の前面から離隔させた位置に配設する構成を有している。
【０００６】
また、本発明の自動演奏装置は、前記筐体内に構造物（例えば人形２１）を載置することができる棚板（例えば棚板２２ａ）を設ける構成を有している。
【発明の効果】
【０００７】
本発明は、選択された楽曲を演奏する自動演奏装置であって、遠隔操作で選択された楽曲を示す情報を入力する選択入力手段と、選択された楽曲を示す情報に対応する楽曲を再生する楽曲再生手段と、前記楽曲再生手段からの再生信号を音声出力する音声出力手段と、を備え、前記自動演奏装置筐体の正面パネルの一部に、前記選択入力手段を固着させ、前記選択入力手段と、前記選択入力手段からの楽曲を示す情報を受信する受信部とに間隙を設けるよう前記受信部を前記筐体の前面から離隔させた位置に配設することにより、操作手段の紛失を防止し、かつ、正確な遠隔操作を行うことができるという効果を有する自動演奏装置を提供することができる。
【０００８】
また、本発明は、前記筐体内に構造物を載置することができる棚板を設けることにより、楽曲再生中の演出効果をより高めた自動演奏装置を提供することができる。
【発明を実施するための最良の形態】
【０００９】
以下、本発明の実施形態に係る自動演奏装置について、図面を用いて説明する。まず、構造を説明する。本発明の実施の一形態に係る自動演奏装置を図１に示す。また、図１の背面を図２に示し、側断面を図３に示す。
【００１０】
図１〜図３において、自動演奏装置１は、演出用の人形２１（後述の「構造物」に相当する）と、ＤＶＤ（Digital Versatile Disk）装置３、ＡＶアンプ４、スピーカ５ａ、５ｂなどのＡＶ機器と、が収容された筐体を有し、この筐体の正面に、正面パネル６が取付けられている。正面パネル６には、半円透明のガラス面６６と、操作部（例えばリモコン）６８と、ＡＶアンプ４の液晶表示部４１ａ、４１ｂと、略Ｕ字形状の電飾ランプ６４ａ、６４ｂと、この電飾ランプ６４ａ、６４ｂを点灯、消灯するための照明ボタン６２と、自動演奏装置１の主電源をオン、オフするための主電源ボタン６３と、が配置されている。
【００１１】
ガラス面６６は、筐体内（ここでは、棚板２２ａ上の空間）が目視可能なようにしている。
【００１２】
操作部６８は、信号を送信する送信回路（ここでは、所定の赤外線を放射する発光部に相当する）と、ＤＶＤ装置３のＤＶＤ−ＲＯＭに楽曲を示す情報（例えば「曲名に付与された番号」）ごとに記憶された複数の楽曲を選択するための選択ボタン６８ａと、操作者が選択ボタン６８ａの操作で選択された楽曲を示す情報を上記送信回路から送信させる制御回路と、を有し、この制御回路は、マイクロコンピュータを主たる構成要素としている。なお、選択ボタン６８ａは、数字及びアルファベット等により構成され、操作者が任意の数字、若しくは数字とアルファベットの組み合わせにおいて構成される楽曲を示す情報を押下することで、楽曲の選択をすることとなる。特に本実施形態では、操作部６８が自動演奏装置１の筐体に固定されているために、操作部６８を紛失するおそれがなくなる。さらに、操作者のニーズによって同一の操作部６８をＤＶＤ装置３又はＡＶアンプ４の操作用に具備する場合には、同一基板を用い、赤外線による同一の入力方式を採用するので、自動演奏装置１の製造コストの低減が期待される。なお、選択された楽曲を示す情報は、制御回路１２（図４に示す）に送られる。
【００１３】
液晶表示部４１ａ、４１ｂは、ＡＶアンプ４に設けられ、操作部６８の下方に配置されて、自動演奏装置１で再生された楽曲の音量、音質などを液晶画面に表示するようにしている。この液晶表示部４１ａ、４１ｂの左右両側には、上述した照明ボタン６２、主電源ボタン６３がそれぞれ設けられている。
【００１４】
図２、図３の人形２１は、演出用の構造物であって、筐体内に設けられた棚板２２ａ上に載置されている。ここで、人形２１などは、上述したようにガラス面６６を通して目視できるようにしている。また、演出用の構造物は、その前方に設けられた演出ランプ２４により照明されるようにしている。この演出ランプ２４は、例えば蛍光管又は複数のＬＥＤで構成されている。この構成により、例えば音楽の再生中に演出ランプ２４を点灯して上記構造物をライトアップし、上記構造物と電飾ランプ６４ａ、６４ｂとの組み合わせで、演出効果を挙げることが可能となる。なお、図１は人形２１が載置されていない場合を示す。
【００１５】
ＤＶＤ装置３は、筐体内に設けられた棚板２２ｂ上に載置されている。ここでは、複数の楽曲の音楽データを楽曲を示す情報ごとに記憶した再生専用のＤＶＤ−ＲＯＭを装着し、操作部６８から入力された楽曲に対応する楽曲を再生するようにしている。また、ＤＶＤ装置３の制御回路（不図示）は、ＤＶＤ−ＲＯＭから音楽データを読み出す機能、ＡＶアンプ４に入力する信号の大きさを多段階に調整する音量調整（ボリウムコントロール）機能、高音域（例えば、周波数１ｋＨｚ以上）、低音域（例えば、周波数１００Ｈｚ以下）を増減して楽曲のトーンを多段階に調整する音質調整（トーンコントロール）機能などを有する。
【００１６】
ＡＶアンプ４は、ＤＶＤ装置３で再生された楽曲の音楽データに相当する信号を増幅する増幅器であって、筐体内に設けられた棚板２２ｃ上に載置されている。また、ＡＶアンプ４においては、所謂、コントロールアンプ、グラフィックイコライザ、デバイディングアンプ、パワーアンプなどが順に配設され、ここではスピーカ５ａ、５ｂがマルチウェイシステム（例えば「ツィータ」、「ウーハ」の２ウェイシステム）を構成するために、パワーアンプの前段でパワーアンプに入力する信号を周波数によって各種スピーカに分割するようにしている。この場合、パワーアンプは、スピーカの種類により複数設けるようにする。なお、上述したようにＡＶアンプ４には、液晶表示部４１ａ、４１ｂを有し、液晶画面に再生楽曲の音量、音質などを表示するようにしている。
【００１７】
スピーカ５ａ、５ｂは、周知のようにＡＶアンプ４で増幅された信号により、磁界中のボイスコイルに通電し、このときのボイスコイルの動きを振動板に伝播して振動させることにより、音波を発生させるようにしている。ここでは、音域ごとに専用のスピーカユニットを設け、例えば「ツィータ」、「ウーハ」のユニットを組み合わせて１台のスピーカシステムとしている。また、スピーカ５ａ、５ｂは、筐体内に設けられた載置台２３ａ、２３ｂ上にそれぞれ載置されている。
【００１８】
なお、操作部６８の発光部６８ｂと、ＡＶアンプ４（又はＤＶＤ装置３）における受光部６９（受信回路に相当する）とは、略対向で、かつ、発光部６８ｂからの赤外線を受光部６９がより受光するよう空隙を設けて配置されており、上記発光部６８ｂからの赤外線を上記受光部６９が確実に受光するようにしている。さらに確実に受光するために、上述した棚板２２ａ〜２２ｃを、例えば金属材料、合成樹脂材料を含む可塑性材料で形成し、複数のメッシュ状孔部が棚板２２ａ〜２２ｃに貫通開口するようにしてもよい。
【００１９】
本発明の実施の一形態に係る自動演奏装置１の制御系を図４に示す。
【００２０】
図４において、自動演奏装置１は、ＤＶＤ装置３と、ＡＶアンプ４と、スピーカ５（図２の５ａ、５ｂに相当する）と、制御回路１２と、操作部６８と、電飾ランプ６４（図１の６４ａ、６４ｂに相当する）と、演出ランプ２４と、照明ボタン６２と、主電源ボタン６３と、で構成されている。ここで、操作部６８は、選択された楽曲を示す情報をＤＶＤ装置３又はＡＶアンプ４に送信し、ＡＶアンプ４は、この楽曲を示す情報に応じてＤＶＤ‐ＲＯＭに記憶されている音声データを取出す。また、ＡＶアンプ４は、音声出力端子から音声データを出力し、これらのデータは、制御回路１２、スピーカ５に入力される。制御回路１２は、これらの入力されたデータにより、演出ランプ２４等を制御している。ここで、制御回路１２は、これらの入力されたデータにより、演出ランプ２４の点灯の要否を判断し、演出ランプ２４を点灯、消灯を制御している。なお、制御回路１２は、１つの楽曲の演奏が終了する度に演出ランプ２４を消灯させるように制御してもよい。
【００２１】
このような本発明の実施の一形態に係る自動演奏装置１によれば、遠隔操作で選択された楽曲を示す情報を入力する操作部６８と、選択された楽曲を示す情報に対応する楽曲を再生するＤＶＤ装置３と、ＤＶＤ装置３で再生された楽曲の音響を出力するＡＶアンプ４およびスピーカ５と、を備え、自動演奏装置１筐体の正面パネル６の一部に、操作部６８を固着させ、操作部６８と、操作部６８からの楽曲を示す情報を受信する受光部６９とに間隙を設けるよう受光部６９を筐体の前面から離隔させた位置に配設することにより、操作手段の紛失を防止し、かつ、正確な遠隔操作を行うことができる。
【００２２】
なお、上述した実施形態では操作部６８の操作で所望の楽曲を示す情報を選択させて入力するようにした場合について説明したが、本発明はこのほかに、ＤＶＤ装置３で再生された楽曲の音響を出力するときの音量、音質（「音響情報」に相当する）を指示入力させるようにしても同様の効果が期待される。
【００２３】
また、上述した実施形態では制御回路１２がＤＶＤ装置３、ＡＶアンプ４を駆動制御するようにした場合について説明したが、本発明はこのほかに、ＤＶＤ装置３、ＡＶアンプ４、スピーカ５を所定の端子により接続し、操作部６８からＡＶアンプ４（又はＤＶＤ装置３）へ楽曲を示す情報を直接入力し、入力された楽曲を示す情報によりＡＶアンプ４（あるいはＤＶＤ装置３）が楽曲の再生、音響出力および映像表示を制御するようにしても同様の効果が期待される。この場合、操作部６８のほかに、ＡＶアンプ４、ＤＶＤ装置３のいずれか又は全てを遠隔操作するための別リモコンを設け、操作部６８を選曲操作専用とし、楽曲の再生、音響出力および映像表示については別リモコンで遠隔操作するようにしてもよい。あるいは、操作部６８が上述した制御回路１２の機能を有し、自動演奏装置１本体の制御系によらずに楽曲の再生、音響出力および映像表示を制御するようにしても同様の効果が期待される。
【００２４】
また、上述した実施形態では、棚板２２ａ〜２２ｃに複数のメッシュ状孔部を形成した場合について説明したが、本発明はこのほかに、棚板２２ａ〜２２ｃを透明部材で形成しても同様の効果が期待される。あるいは、白色板やミラーを含む反射部材により、操作部６８から発せられる赤外光の光路を形成するようにしても同様の効果が期待される。さらに、それぞれの装置や部品を筐体内に配置するときの自由度が増すという効果も期待される。
【００２５】
また、上述した実施形態では上記楽曲を示す情報により、楽曲によって演出ランプ２４を点灯制御するようにした場合について説明したが、本発明はこのほかに、演出ランプ２４のオン、オフを切り替えるための切替ボタンを設け、操作者が任意に演出ランプ２４を点灯制御するようにしても同様の効果が期待される。
【００２６】
また、上述した実施形態では演出用の構造物として人形２１を用いた場合について説明したが、本発明はこのほかに、縦置きされたＣＤ、レコードなどを構造物として用いても同様の効果が期待される。さらに、筐体内面に形成された任意の形状や、任意の画像が記された筐体内面自体を構造物として用いても同様の効果が期待される。
【００２７】
また、上述した実施形態ではＤＶＤ装置３、ＡＶアンプ４などのＡＶ機器を具備した自動演奏装置１について説明したが、本発明はこのほかに、マイクを追加し、さらに通信インタフェースを備えた構成としても同様の効果が期待される。この場合、マイクにより所謂カラオケ機能を実現し、通信インタフェースを介して楽曲の音楽データを取得するようにしてもよい。
【図面の簡単な説明】
【００２８】
【図１】本発明の実施の一形態に係る自動演奏装置の外観（正面）を示す斜視図である。
【図２】本発明の実施の一形態に係る自動演奏装置の外観（背面）を示す斜視図である。
【図３】本発明の実施の一形態に係る自動演奏装置の要部側断面図である。
【図４】本発明の実施の一形態に係る自動演奏装置の制御系を示すブロック図である。
【符号の説明】
【００２９】
１  自動演奏装置
３  ＤＶＤ装置
４  ＡＶアンプ
５ａ、５ｂ  スピーカ
６  正面パネル
２１  人形
２２ａ、２２ｂ、２２ｃ  棚板
２３ａ、２３ｂ  載置台
４１ａ、４１ｂ  液晶表示部
６２  照明ボタン
６３  主電源ボタン
６４ａ、６４ｂ  電飾ランプ
６８  操作部
６８ｂ  発光部
６９  受光部
【図１】
2005166091.tif 000003
【図２】
2005166091.tif 000004
【図３】
2005166091.tif 000005
【図４】
2005166091.tif 000006